(57)【要約】【課題】ペットに対して、簡易な構造で所定量の餌を供給することができる給餌装置を提供する。【解決手段】下部に開口部１２を備えた首部１１を有する、ペット用の粒体状の餌を収納するための収納容器１０を保持部７０で保持し、開口部１２を外側から蓋部２０で閉鎖する。また、蓋部２０が下端部に装着された状態で、収納容器１０内部に配置され、首部１１内の餌が開口部１２から落下することを妨げる螺旋状に形成した針金である落下防止部３０の上端部分を、蓋部２０を開口部１２にゴム紐の弾性力で密着させ、開口部１２を閉鎖させる閉鎖部４０に固定する。蓋部２０に結合部材５２で結合され、ペットが足で踏み込んだ際に、蓋部２０と開口部１２の密着状態を解除して開口部１２を開放状態とするペダル部５）と、開口部１２の下に配置され、開口部１２から落下する餌を受けるトレイ６０とを、ペットボトルを縦に分割して形成する。【選択図】図１
2014023470.tif 000002
【特許請求の範囲】
【請求項１】
下部に開口部を備えた首部を有する、ペット用の粒体状の餌を収納するための収納容器と、
前記開口部を外側から閉鎖する蓋部と、
前記蓋部が下端部に装着された状態で、前記開口部を介して前記首部から前記収納容器内部に配置され、前記首部内の餌が前記開口部から落下することを妨げる落下防止手段と、
前記蓋部を前記開口部に弾性力で密着させ、前記開口部を閉鎖させる閉鎖手段と、
前記蓋部に結合部材で結合され、ペットが足で踏み込んだ際に、前記蓋部と前記開口部の密着状態を解除して前記開口部を開放状態とするペダル部と、
前記開口部の下に配置され、前記開口部から落下する餌を受けるトレイと、
前記収納容器を所定の姿勢に保持する保持部と、
を備えてことを特徴とする給餌装置。
【請求項２】
請求項１に記載の給餌装置において、
前記落下防止手段は、
螺旋状に形成された部材であることを特徴とする給餌装置。
【請求項３】
請求項１又は請求項２に記載の給餌装置において、
前記閉鎖手段は、
前記蓋部上面に結合され、前記開口部を通して前記収納容器の上端部分又は前記収納容器の上部を貫通し、前記保持部に結合されたゴム紐であることを特徴とする給餌装置。
【発明の詳細な説明】
【技術分野】
【０００１】
本発明は、犬や猫のようなペットに対して餌を供給するための給餌装置に関する。
【背景技術】
【０００２】
従来、予めタイマーで設定した時間が経過した後に、犬などのペットがペダルを踏み込むと、バスケットに蓄えられた餌がトレイに自動的に供給され、ペットが餌を食べることができるようにした自動給餌装置があった（例えば特許文献１参照）。
【先行技術文献】
【特許文献】
【０００３】
【特許文献１】特開２０１１−２２３９２７号公報
【発明の概要】
【発明が解決しようとする課題】
【０００４】
ところが、上記自動餌供給装置は、餌を所定量供給するために、羽根車やロックアームを用いたり、所定の時間が経過した後にしか餌を供給できないようにしたりするために、タイマーやロック機構を備えているなど、機構が複雑で大型なものとなってしまうという問題がある。また、タイマーに電気式のものを用いた場合、停電すると餌が供給されなくなってしまうという問題もある。
【０００５】
本発明は、こうした問題に鑑みなされたもので、ペットに対して、簡易な構造で所定量の餌を供給することができる給餌装置を提供することを目的とする。
【課題を解決するための手段】
【０００６】
この欄においては、発明に対する理解を容易にするため、必要に応じて「発明を実施するための形態」欄において用いた符号を付すが、この符号によって請求の範囲を限定することを意味するものではない。
【０００７】
上記「発明が解決しようとする課題」において述べた問題を解決するためになされた発明は、収納容器（１０）、蓋部（２０）、落下防止手段（３０）、閉鎖手段（４０）、ペダル部（５０）、トレイ（６０）及び保持部（７０）を備えてことを特徴とする給餌装置（１）である。
【０００８】
収納容器（１０）は、ペット用の粒体状の餌を収納するための容器であり、下部に開口部（１２）を備えた首部（１１）有するものである。また、蓋部（２０）は、開口部（１２）を外側から閉鎖するものである。落下防止手段（３０）は、蓋部（２０）が下端部に装着された状態で、開口部（１２）を介して前記首部（１１）から前記収納容器（１０）内部に配置され、首部（１１）内の餌が開口部（１２）から落下することを妨げるものである。
【０００９】
閉鎖手段（４０）は、蓋部（２０）を開口部（１２）に弾性力で密着させ、開口部（１２）を閉鎖させるものであり、ペダル部（５０）は、蓋部（２０）に結合部材（５２）で結合され、ペットが足で踏み込んだ際に、蓋部（２０）と開口部（１２）の密着状態を解除して開口部（１２）を開放状態とするものである。
【００１０】
トレイ（６０）は、開口部（１２）の下に配置され、開口部（１２）から落下する餌を受けるものであり、保持部（７０）は、収納容器（１０）を所定の姿勢に保持するものである。
【００１１】
このような給餌装置（１）では、ペットがペダル部（５０）を踏み込むと、ペダル部（５０）に結合部材（５２）で結合された蓋部（２０）が開放状態になり、開口部（１２）が開放される。その際、落下防止手段（３０）は、下端部が蓋部（２０）に装着されているので、落下防止手段（３０）も下方に移動する。すると、落下防止手段（３０）で落下しないようになっていた首部（１１）内の餌が開口部（１２）から落下する。
【００１２】
そして、ペットがペダル部（５０）を開放すると、蓋部（２０）は、開口部（１２）に密着し、開口部（１２）は閉鎖状態となる。
つまり、ペットがペダル部（５０）を一回踏み込むと、所定の量（首部（１１）内にある分）の餌がトレイ（６０）に供給されることになり、簡易な構造で所定量の餌を供給することができる給餌装置とすることができる。
【００１３】
また、請求項２に記載のように、落下防止手段（３０）を、螺旋状に形成された部材とするとよい。螺旋状に形成された部材を用いると、螺旋の溝部分に粒状の餌が滞留するので、ペットがペダル部（５０）を踏み込んで、落下防止手段（３０）が１回上下することにより、１回分の餌をトレイ（６０）に供給することができる。
【００１４】
さらに、請求項３に記載のように、閉鎖手段（４０）は、蓋部（２０）上面に結合され、開口部（１２）を通して収納容器（１０）の上端部分又は収納容器（１０）の上部を貫通し、保持部（７０）に結合されたゴム紐とすると、非常に簡易な構造の給餌装置（１）とすることができる。
【図面の簡単な説明】
【００１５】
【図１】給餌装置１の概略の構成を示す側断面図である。
【発明を実施するための形態】
【００１６】
以下、本発明が適用された実施形態について図面を用いて説明する。なお、本発明の実施の形態は、下記の実施形態に何ら限定されることはなく、本発明の技術的範囲に属する限り種々の形態を採りうる。
［第１実施形態］
図１は、本発明が適用された給餌装置１の概略の構成を示す側断面図である。給餌装置１は、図１に示すように、収納容器１０、蓋部２０、落下防止部３０、閉鎖部４０、ペダル部５０、トレイ６０及び保持部７０を備えている給餌装置１である。
【００１７】
収納容器１０は、ペット用の粒体状の餌を収納するための容器であり、下部に開口部１２を備えた首部１１を有する。具体的には、容積１〜２［Ｌ］の把手１４の付いた、通常よりも高い首部１１を有するペットボトルの口（開口部１２）を下向きにし、把手１４部分を２本のボルト７２とナット７４で固定することにより、保持部７０で保持している。
【００１８】
また、収納容器１０の上部は、ペットボトルの底部分を切断し、切断した部分を蓋１６として使用することにより、粒状の餌を補給することができるようになっている。
蓋部２０は、開口部１２を外側から閉鎖するものであり、ペットボトルのキャップのネジ部分を除去したものである。
【００１９】
落下防止部３０は、蓋部２０が下端部に装着された状態で、開口部１２を介して首部１１から収納容器１０内部に配置され、首部１１内の餌が開口部１２から落下することを妨げるものである。
【００２０】
つまり、図１に示すように、いわゆる針金を螺旋状に形成した部材の下端を短い直線状に形成する（この部分を直線部と呼ぶ）。また、蓋部２０の中心に貫通孔を設け、その貫通孔に螺旋状に形成した部材の直線部を貫通させ、蓋部２０の下面にて先端部を曲げることにより、直線部を蓋部２０に固定する。
【００２１】
このとき、蓋部２０の貫通部分を接着剤等でコーキングして、貫通孔から餌が漏れないようにする。
また、螺旋状に形成した部材の上端部分をカギ状に曲げて閉鎖部４０を結合できるようにしておく。
【００２２】
このようにすると、落下防止部３０は、蓋部２０の動きに連動し、蓋部２０が開放状態となったときには、下部が開口部１２を通して収納容器１０の外に出ることとなる。このとき、首部１１の内側の螺旋部分に滞留していたペット用の粒体状の餌が、トレイ６０に落下するようになる。
【００２３】
なお、首部１１の高さは、通常のペットボトルの首部の３〜４倍程度の高さになっており、後述するように、首部１１の内側において落下防止部３０によって滞留していたペット用の粒状の餌が、落下防止部３０の上下運動によって、トレイ６０に落下するようになっている。
【００２４】
したがって、首部１１の高さは、落下防止部３０の１回当たりの上下運動により供給される餌の量によって決定すればよい。
閉鎖部４０は、蓋部２０を開口部１２に弾性力で密着させ、開口部１２を閉鎖させるものである。
【００２５】
具体的な構成としては、ゴム紐の一端を落下防止部３０の上端のカギ状に曲げた部分に結束して固定すると共にゴム紐の他端を収納容器１０の上側部を貫通させ、保持部７０に結合する。このとき、ゴム紐は、伸び代を持たせた状態で保持部７０に結合した構造となっている。
【００２６】
ペダル部５０は、蓋部２０に結合部材５２で結合され、ペットが足で踏み込んだ際に、蓋部２０と開口部１２の密着状態を解除して開口部１２を開放状態とするものであり、トレイ６０は、開口部１２の下に配置され、開口部１２から落下する餌を受けるものである。
【００２７】
本実施形態では、図１に示すように、ペダル部５０とトレイ６０が一体となるように形成されており、ペットボトルを縦方向に分割し、分割したペットボトルの一方の肩部分を下端として、保持部７０の底面に接触させるように配置した構造となっている。
【００２８】
また、分割したペットボトルに接着剤などの結合部材５２で蓋部２０を固定する。このとき、蓋部２０は、ペダル部５０が閉鎖部４０を構成するゴム紐の弾性力で引き上げられた状態で、開口部１２に接触して開口部１２を閉じるような位置に配置する。
【００２９】
保持部７０は、収納容器１０を所定の姿勢に保持するものであり、本実施形態では、木製の板材で構成されており、底面部７６と底面部７６の端面に垂直に立てられた側面部７８とから構成されえいる。
【００３０】
そして、側面部７８に、収納容器１０の把手１４部分を密着させた状態で、２本のボルト７２とナット７４で固定することにより、収納容器１０を保持部７０に固定している。
（給餌装置１の特徴）
以上のような給餌装置１では、ペットがペダル部５０を踏み込むと、ペダル部５０に結合部材５２で結合された蓋部２０が開放状態になり、開口部１２が開放される。  その際、落下防止部３０は、下端部が蓋部２０に装着されているので、落下防止部３０も下方に移動する。すると、前述のように、落下防止部３０の下部が開口部１２を通して収納容器１０の外に出るので、首部１１内側において、落下防止部３０で落下しないようになっていた餌がトレイ６０に落下する。
【００３１】
そして、ペットがペダル部５０を開放すると、蓋部２０は、開口部１２に密着し、開口部１２は閉鎖状態となる。
つまり、ペットがペダル部５０を一回踏み込むと、所定の量（首部１１内側の容積分）の餌がトレイ６０に供給されることになり、簡易な構造で所定量の餌を供給することができる給餌装置とすることができる。
【００３２】
また、落下防止部３０を、螺旋状の針金としているので、首部１１の内側で螺旋内部に粒状の餌が滞留する。したがって、ペットがペダル部５０を踏み込んで、落下防止部３０が１回上下することにより、１回分の餌をトレイ６０に供給することができる。
【００３３】
さらに、閉鎖部４０をゴム紐で構成しているので、非常に簡易な構造の給餌装置１とすることができる。
以上、本発明の実施形態について説明したが、本発明は、本実施形態に限定されるものではなく、種々の態様を採ることができる。
（１）上記実施形態では、収納容器１０としてペットボトルを用いたが、ＰＥＴ以外の樹脂や金属など他の素材を使った容器でもよい。
（２）また上記実施形態では、落下防止部３０を、針金を螺旋状に形成することで実現していたが、樹脂や金属をスクリュー状に形成したものであってもよい。
【符号の説明】
【００３４】
１… 給餌装置  １０… 収納容器  １１… 首部  １２… 開口部  １４… 把手  １６…蓋  ２０… 蓋部  ３０… 落下防止部  ４０… 閉鎖部  ５０… ペダル部  ５２… 結合部材  ６０… トレイ  ７０… 保持部  ７２… ボルト  ７４… ナット  ７６… 底面部  ７８… 側面部。
【図１】
2014023470.tif 000003